(57)【要約】【課題】  入浴者に低い温度や高い温度の刺激を継続して与えても浴槽内の湯温への影響が少ない浴槽装置を提供すること。【解決手段】  浴槽１１の内面に複数の伝熱体２１ａと伝熱体２１ｂを設け、ヘッダ装置１３で湯及び水を任意の比率で混合し、任意の温度に調節した湯水を伝熱体２１ａ及び２１ｂに供給することにより、伝熱体２１ａと伝熱体２１ｂの表面の温度を制御して入浴者に冷（温）感刺激を与える。また、それぞれの伝熱体２１ａと伝熱体２１ｂには、異なる温度の湯水を供給できるようになっている。【選択図】      図１
2007054106.tif 000002
【特許請求の範囲】
【請求項１】
入浴者の身体の特定部位に温度刺激を与えるための浴槽装置であって、
入浴者の身体の一部が接触可能となるように、浴槽の内面に設けた１又は２以上の伝熱体と、
前記伝熱体に接触して熱伝導により前記伝熱体を加熱又は冷却する湯又は水を供給する湯水供給装置と、
前記湯水供給装置により供給される湯又は水の温度を調整する湯温調整装置と、
を備えたことを特徴とする浴槽装置。
【請求項２】
前記各伝熱体の温度を個別に調節可能としたことを特徴とする、請求項１に記載の浴槽装置。
【請求項３】
前記各伝熱体に温度センサを設けたことを特徴とする、請求項１〜２のいずれかに記載の浴槽装置。
【請求項４】
前記各伝熱体の温度及びその温度を維持する継続時間を前記制御装置に設定するための入力装置を設けたことを特徴とする、請求項１〜３のいずれかに記載の浴槽装置。
【請求項５】
前記各伝熱体の温度及びその温度を維持する継続時間が自動的に不規則な値に設定されることを特徴とする、請求項１〜３のいずれかに記載の浴槽装置。
【請求項６】
前記伝熱体のうち、入浴者の手に当たるの部分に設けた前記伝熱体が取っ手状に形成されていることを特徴とする、請求項１〜５のいずれかに記載の浴槽装置。
【請求項７】
前記伝熱体に前記伝熱体に供給された湯水を排水するための排水管を設け、前記排水管に弁を設けたことを特徴とする、請求項１〜６のいずれかに記載の浴槽装置。
【発明の詳細な説明】
【技術分野】
【０００１】
本発明は、浴槽装置に関し、特に入浴しながら身体の各部に温感或いは冷感による温度刺激を与えてマッサージを行うことのできる浴槽装置に関する。
【背景技術】
【０００２】
従来より、浴槽に身体状態を調節したり、診断したりする機能を設けた浴槽装置が提案されている。身体状態の調節としては、自律神経を活性化させて自律神経バランスを保持する機能が考えられる。また、自律神経の不調は不定愁訴と呼ばれる様々な症状の一因と考えられている。このような自律神経バランスを保持する機能を有する装置としては、例えば、特許文献１（特開２０００−１２６０５７号公報）に記載されている浴槽装置がある。特許文献１では、浴槽の内壁に取り付けられた噴射部から噴出される冷水や温水により身体表面に刺激を与えて自律神経バランスを保持し、自律神経の不調による諸症状を緩和させる浴槽装置が提案されている。
【０００３】
しかしながら、特許文献１に記載の発明では、浴槽内に冷水や温水を吹き出すため、浴槽内の湯温を変えてしまう原因となり、湯温に対して低い温度や高い温度の刺激を継続して与えることができなかった。したがって、浴槽内の湯温を変化させないためには、短時間の刺激しか与えることができず、自律神経が活動して身体機能を充分に調節し終える前に刺激を終了しなければならない可能性があった。
【０００４】
【特許文献１】特開２０００−１２６０５７号公報
【発明の開示】
【発明が解決しようとする課題】
【０００５】
本発明は上記のような技術的課題に鑑みてなされたものであり、その目的とするところは、入浴者に低い温度や高い温度の刺激を継続して与えても浴槽内の湯温への影響が少ない浴槽装置を提供することにある。
【課題を解決するための手段】
【０００６】
本発明の浴槽装置は、入浴者の身体の特定部位に温度刺激を与えるための浴槽装置であって、入浴者の身体の一部が接触可能となるように、浴槽の内面に設けた１又は２以上の伝熱体と、前記伝熱体に接触して熱伝導により前記伝熱体を加熱又は冷却する湯又は水を供給する湯水供給装置と、前記湯水供給装置により供給される湯又は水の温度を調整する湯温調整装置とを備えたことを特徴としている。
【０００７】
本発明の浴槽装置によれば、入浴者の身体と伝熱体を接触させて入浴者の身体に任意の温度の温度刺激を与えることができ、自律神経を活性化させることができる。また、浴槽内に湯又は水を直接吹き出さないので、浴槽内の湯の温度が変わりにくい。したがって、比較的長時間にわたって浴槽装置を運転することが可能となる。
【０００８】
本発明の浴槽装置の実施態様は、前記各伝熱体の温度を個別に調節可能としたことを特徴としている。
【０００９】
本発明の浴槽装置の別な実施態様によれば、各伝熱体の温度を個別に調整できるので、入浴者の部位に個別の温度刺激を与えることができる。また、入浴者の伝熱体が接触する部位の温度刺激に対する感度に合わせて、各伝熱体の温度を調節することができ、自律神経への刺激を効率よく行うことができる。
【００１０】
本発明の浴槽装置の実施態様は、前記各伝熱体に温度センサを設けたことを特徴としている。
【００１１】
本発明の浴槽装置の実施態様によれば、温度センサで各伝熱体の温度を検出できるので、各伝熱体の温度を正確かつ効率的に管理及び制御できる。
【００１２】
本発明の浴槽装置の別な実施態様は、前記各伝熱体の温度及びその温度を維持する継続時間を前記制御装置に設定するための入力装置を設けたことを特徴としている。
【００１３】
本発明の浴槽装置の別な実施態様によれば、入浴者自身で伝熱体の温度及びその温度での継続時間を設定できるようになっているので、刺激が強すぎず、快適に入浴できる適当な温度に伝熱体の温度を設定することができる。
【００１４】
本発明の浴槽装置の別な実施態様は、前記各伝熱体の温度及びその温度を維持する継続時間が自動的に不規則な値に設定されることを特徴としている。
【００１５】
本発明の浴槽装置の別な実施態様によれば、伝熱体の温度及びその継続時間が自動で不規則な値に設定されるので、入浴者が伝熱体の温度及び継続時間を手動で入力して設定する手間が省ける。
【００１６】
本発明の浴槽装置の別な実施態様は、前記伝熱体のうち、入浴者の手の平に当たるの部分に設けた前記伝熱体が取っ手状に形成されていることを特徴としている。
【００１７】
本発明の浴槽装置の別な実施態様によれば、取っ手状に形成されているので、入浴者の手に温感刺激或いは冷感刺激を与えるだけでなく、浴槽内への出入り時、或いは浴槽内での立ち座りをする時に伝熱体を掴むことができ、安全に入浴することができる。
【００１８】
本発明の浴槽装置のさらに別な実施態様は、前記伝熱体に前記伝熱体に供給された湯水を排水するための排水管を設け、前記排水管に弁を設けたことを特徴としている。
【００１９】
本発明の浴槽装置のさらに別な実施態様によれば、伝熱体の温度が設定した温度になると、弁を閉止して湯水を排水せずに滞留させることにより、湯水の熱を有効に利用することができる。
【発明を実施するための最良の形態】
【００２０】
以下、本発明の実施例を図面に従って詳細に説明する。ただし、本発明は以下の実施例に限定されるものでないことは勿論である。
【実施例１】
【００２１】
図１は、浴槽装置１の概略図である。浴槽装置１は、浴槽１１、給湯装置１２、ヘッダ装置１３、制御装置１４、リモコン１５で構成されている。浴槽１１の内壁には、入浴者が入浴している状態において、首から背中にかかる位置、臀部から太股にかかる位置及び足の裏が当たる位置には、それぞれ伝熱体２１ａが設けられている。また、入浴者の手の位置には、伝熱体２１ｂが設けられており、伝熱体２１ｂは取っ手状に形成されている。つまり、入浴者は浴槽１１内へ入浴や出浴する時、浴槽１１内で立ち上がったり座ったりする時に伝熱体２１ｂを掴んで安全に入出浴することができる。このような位置に伝熱体２１ａ、２１ｂが設けられているので、入浴者が各伝熱体２１ａに背中や臀部（腰）、足裏などを接触させ、伝熱体２１ｂを握った姿勢をとることにより、背中や臀部（腰）、足裏、手のひらに温度刺激を与えることができる。また、伝熱体２１ａ、２１ｂはステンレス等の熱伝導率の良好な材料によって形成されているので、伝熱体２１ａ、２１ｂから身体各部位に温感と冷感を交互に付与する場合には、温度刺激が緩和されにくくて強い温度刺激を与えることができる。また、各伝熱体２１ａ及び２１ｂにはそれぞれ、伝熱体２１ａ及び２１ｂの表面温度を監視するための温度センサ２２が設けられている。
【００２２】
図２に伝熱体２１ａの概略斜視図を示す。伝熱体２１ａは、金属（たとえば、ステンレス）などの熱伝導率が高く、熱容量の小さい材料で形成された平板５１と、平板５１の裏面（つまり、浴槽１１の内部に隠れる面）に金属製（たとえば、ステンレス）のパイプ５２が溶接などにより固定されている。しかして、パイプ５２内に湯水を流すことにより、パイプ５２に流れる湯水の熱（冷気）を平板５１の表面に伝導し、平板５１を加熱したり冷却したりできるものである。したがって、図１に示すように伝熱体２１ａの平板５１の表面に接触した入浴者の身体の各部位に温感や冷感を与えることができる。また、伝熱体２１ａのパイプ５２の端部には湯水を供給するための湯水供給配管２３が接続されている。また、他の端部にはパイプ５２を通過した湯水を廃棄するための排水管２５が接続されている。
【００２３】
次に、図３に伝熱体２１ｂの概略斜視図を示す。伝熱体２１ｂは、平板５１と同じ材料で形成された中空部５３を有する湾曲筒状をしたものであり、筒状の片方の端部には湯水供給配管２３が接続され、他方の端部には排水管２５が接続されている。しかして、伝熱体２１ｂの中空部５３に湯水を流すことにより、湯水の熱（冷気）を伝熱体２１ｂの表面に伝導し、伝熱体２１ｂの表面を加熱したり冷却したりできる。また、伝熱体２１ａ、２１ｂに接続された排水管２５には、電磁開閉弁２６が設けられており、電磁開閉弁２６を開閉させることによって、湯水を伝熱体２１ａ、２１ｂ内に滞留させるか排水管２５から排水するかを制御している。また、湯水供給配管２３の伝熱体２１ａ、２１ｂと接続された側と反対側の端部は、ヘッダ装置１３に接続されている。
【００２４】
図４にヘッダ装置１３の概略図を示す。ヘッダ装置１３は、湯と水を混合させて任意の温度にした湯水を各伝熱体２１ａ或いは伝熱体２１ｂに供給するための装置である。ヘッダ装置１３には、ヘッダ装置１３に湯を供給するための給湯配管２７と、ヘッダ装置１３に水を供給するための給水配管２８と、温度調節した湯水を各伝熱体２１ａ及び２１ｂに供給するための湯水供給配管２３とが接続されている。なお、給湯配管２７及び給水配管２８のヘッダ装置１３と反対側の他端は給湯装置１２に接続されている。また、伝熱体２１ａ及び２１ｂの数と同じ数だけ混合弁２９が設けられている。また、各混合弁２９には給湯配管２７及び給水配管２８が接続され、各混合弁２９に湯及び水を供給されるようになっている。また、各混合弁２９には湯水供給配管２３が接続されている。しかして、混合弁２９は、湯と水を適当な比率で混合して、湯水供給配管２３から各伝熱体２１ａ及び２１ｂへ任意温度の湯水を供給できる。また、それぞれの湯水供給配管２３には、混合弁２９側から流量調整弁３０、流量センサ３１及び温度センサ３２が設けられており、ヘッダ装置１３は、流量センサ３１で流量を測定しながら流量調整弁３０の絞り量を調節することによって、各伝熱体２１ａ及び２１ｂに供給する湯水の流量を調節している。また、温度センサ３２により、各伝熱体２１ａ及び２１ｂに供給する湯水の温度を監視している。したがって、ヘッダ装置１３は各伝熱体２１ａ及び２１ｂに異なる温度の湯水を供給できるようになっている。
【００２５】
給湯装置１２は、特に図示しないがガスバーナーなどで燃料を燃焼させて発生した熱を利用して、上水道などから取り込んだ水を加熱して湯にするものである。また、給湯装置１２には給湯配管２７及び給水配管２８が接続されている。給湯配管２７は、給湯装置１２で加熱した湯をヘッダ装置１３へ供給するための配管である。また、給水配管２８は、非加熱の水をヘッダ装置１３へ供給するための配管である。なお、給湯装置１２は浴槽１１に湯水を張ったり追い焚きしたりするための自動給湯装置を兼ねていてもよい。
【００２６】
浴槽装置１は、内蔵の制御装置１４（制御手段）によって運転制御される。リモコン１５は、遠隔から浴槽装置１を操作するものであり、表示部３５、設定ボタン３６、運転開始ボタン３７、選択ボタン３８ａ、３８ｂ及び決定ボタン３９を備えている。また、冷温運転の設定は、リモコン１５の選択ボタン３８ａ、３８ｂ及び決定ボタン３９を用いて設定することができる。
【００２７】
図５及び図６にリモコン１５の冷温運転の設定画面を示す。図５は設定したい伝熱体２１ａ及び２１ｂの位置を選択する伝熱体選択画面４１であり、浴槽１１に設けられた伝熱体２１ａ及び２１ｂの位置が円α１〜α４で表示されている。選択ボタン３８ａ、３８ｂを押すことによって設定対象となる伝熱体２１ａ、２１ｂを順番に選択することができ、選択されている伝熱体２１ａ、２１ｂの位置は円α１〜α４で表示（例えば、選択時は実線、非選択時は破線で表示される）することができる。図６は冷感刺激の温度及び継続時間と温感刺激時の温度及び継続時間を手動で設定（以下、手動設定モードという）するか、ランダムで運転（以下、ランダムモードという）するかを選択するための条件設定画面４２である。なお、図６では”手動”の文字の下に線が表示されて手動設定モードを選択している状態を示している。また、手動設定モードを選択した場合には、この条件設定画面４２で冷感刺激の温度Ｆ１及び継続時間Ｔ１と温感刺激の温度Ｆ２及び継続時間Ｔ２の設定も行う。
【００２８】
ここで、手動設定モードとランダムモードの運転の時の伝熱体２１ａ（或いは伝熱体２１ｂ）の温度変化について簡単に説明する。図７（ａ）、（ｂ）にそれぞれ手動設定モード及びランダムモードにおける冷温運転時の伝熱体２１ａ（或いは２１ｂ）の温度のタイムチャートの一例を示す。手動設定モードの場合は、図７（ａ）に示すように、条件設定画面４２で設定した温度と継続時間で冷感刺激と温感刺激を交互に繰り返す。つまり、手動設定モードにおいては、１つの伝熱体２１ａ（或いは伝熱体２１ｂ）から入浴者の身体の各部位に与えられる温度刺激は、温度Ｆ１で継続時間Ｔ１の冷感刺激と温度Ｆ２で継続時間Ｔ２の温感刺激を交互に繰り返す。
【００２９】
一方、ランダムモードは、冷感刺激と温感刺激の温度と継続時間が不規則に自動で選択され、その温度及び継続時間条件で運転が終了すると、再度温度及び継続時間条件を不規則に自動で選択しなおされ、その条件で運転が行われる。つまり、図７（ｂ）に示すように、ランダムモードでは、さまざまな温度刺激を入浴者の身体の各部位に与える。また、その温度刺激を与えている継続時間も一定ではない。なお、浴槽装置１では、ランダムモードでの温度を２０℃〜４２℃、継続時間を１０秒〜９０秒の間で適当な値が自動で選択されるように設定した。
【００３０】
図８は浴槽装置１における、制御装置１４を中心とする電気的な構成を示す機能ブロック図である。制御装置１４は、ＲＯＭ、ＥＥＰＲＯＭ等のメモリに格納されている運転処理のプログラムに従って浴槽装置１をマイコン制御するものである。また、制御装置１４は、リモコン１５、温度センサ２２、電磁開閉弁２６、給湯装置１２、ヘッダ装置１３（混合弁２９、流量調整弁３０、流量センサ３１、温度センサ３２）のそれぞれと信号線４０を通じて接続されている。すなわち、図８に示すように、制御装置１４は、リモコン１５、温度センサ２２、３２及び流量センサ３１からの信号を受け取り、それに応じて所定の手順で、混合弁２９、流量調整弁３０、給湯装置１２を制御することにより、各伝熱体２１ａ及び２１ｂの温度を制御し入浴者に温感刺激或いは冷感刺激を与える。
【００３１】
図９〜１１はリモコン１５を用いて冷温運転の設定を行う時の動作を表わしたフロー図である。以下、図９〜１１に従って冷温運転の設定手順を説明する。図９に示すように、設定ボタン３６を押してオンにする（ステップＳ１１）と、図５に示した伝熱体選択画面４１が表示部３５に表示される（ステップＳ１２）。冷温運転の設定を続ける場合（ステップＳ１３でＮｏの場合）は、伝熱体選択画面４１が表示された状態で選択ボタン３８ａ（△マークのボタン）を押す（ステップＳ１４）と、各伝熱体２１ａ、２１ｂを表す円α１〜α４の選択位置が一つ戻る（ステップＳ１５）。また、選択ボタン３８ｂ（▽マークのボタン）を押す（ステップＳ１６）と、各伝熱体２１ａ、２１ｂを表す円α１〜α４の選択位置が一つ進む（ステップＳ１７）。ステップＳ１４〜Ｓ１７を繰り返して、円α１〜α４で表示される伝熱体２１ａ、２１ｂのいずれかを選択した状態（実線で表示された状態）で、決定ボタン３９を押す（ステップＳ１８）と、伝熱体選択画面４１を終了し（ステップＳ１９）、選択した箇所の伝熱体２１ａ又は２１ｂの条件設定処理へ移行する（ステップＳ２０）。
【００３２】
図１０は、条件設定処理を表したフロー図である。ステップＳ１９で伝熱体選択画面４１が終了すると、図６に示すように条件設定画面Ｓ２１が表示部３５に表示される（ステップＳ２１）。条件設定画面４２では、まず始めに図６に一点鎖線で囲んだ部分で手動設定モードとランダムモードを選択する状態となる（ステップＳ２２）。この状態で選択ボタン３８ａ、３８ｂのいずれかを押す（ステップＳ２３でＹｅｓの場合）と手動設定モードとランダムモードの選択状態が切り替わる（ステップＳ２４）ので、任意の運転モードを選択して決定ボタン３９を押せば（ステップＳ２５でＹｅｓの場合）、運転モードが決定される（ステップＳ２６）。また、ステップＳ２１で条件設定画面４２が表示された直後においては、前回の運転時の運転モードが選択された状態になっており、特に運転モードの変更が必要ない場合は選択ボタン３８ａ、３８ｂを押さず（ステップＳ２３でＮｏの場合）に決定ボタン３９を押して（ステップＳ２５）、運転モードを決定すればよい（ステップＳ２６）。ステップＳ２７では、選択した運転モードの確認を行い、手動設定設定モードが選択された場合は、冷温運転を手動設定モードで運転するように設定され、図１１に示したフロー図のような冷温運転の時の温度Ｆ１、Ｆ２、継続時間Ｔ１、Ｔ２の設定に移行する（ステップＳ２８）。また、ランダムモードが選択された場合は、冷温運転をランダムモードで運転するように設定される（ステップＳ２９）。
【００３３】
冷温運転を手動設定モードに設定されると、まず条件設定画面４２の冷感刺激の温度Ｆ１の数値が設定可能となる（ステップＳ３０）。ここで、選択ボタン３８ａ（△マークのボタン）を押すと、設定値を大きくすることができる（ステップＳ３１〜Ｓ３２）。一方、選択ボタン３８ｂ（▽マークのボタン）を押すと、設定値を小さくすることができる（ステップＳ３３〜Ｓ３４）。選択ボタン３８ａ、３８ｂを押して設定値を任意の値にし、決定ボタン３９を押せば入力した値を冷感刺激の温度Ｆ１として確定する（ステップＳ３５）。温度Ｆ２、継続時間Ｔ１、Ｔ２の設定が確定していなければ（ステップＳ３６でＮｏの場合）、次の設定値の設定状態に移行し（ステップＳ３７）、温度Ｆ１の設定と同様にステップＳ３１〜Ｓ３５を繰り返して各設定値（継続時間Ｔ１、Ｔ２、温度Ｆ２）を入力し、確定させる。なお、本実施例１においては、冷感刺激の温度Ｆ１、継続時間Ｔ１、温感刺激の温度Ｆ２、継続時間Ｔ２の順で設定するようにした。各設定値が確定したら（ステップＳ３６でＹｅｓの場合）、図９のステップＳ１２に戻り、同様の操作により違う場所の伝熱体２１ａ或いは２１ｂの設定を行う。以上の操作を繰り返して、伝熱体２１ａ及び２１ｂの総ての設定を終了したら、伝熱体選択画面４１で設定ボタン３６を再度押してオフにする（ステップＳ１３でＹｅｓの場合）と、冷温運転の設定が終了し、冷温運転の待機状態となる。なお、冷感刺激と温感刺激の条件設定は、順番が入れ替わっていてもかまわない。
【００３４】
図１２、１３は浴槽装置１による冷温運転の動作を表わしたフロー図である。以下、図１２、１３に従って浴槽装置１による冷温運転開始から終了までを説明する。なお、浴槽１１に設けた複数の伝熱体２１ａ及び２１ｂは、それぞれ個別の設定で冷感及び温感刺激を入浴者に与えることができるが、同じ制御方法で各伝熱体２１ａ及び２１ｂの制御を行うので、ここでは、伝熱体２１ａ及び２１ｂの内の１つに関係する動作について説明する。また、手動設定モードでの冷温運転は、運転開始後、冷感刺激、温感刺激の順で交互に運転するものとする。
【００３５】
リモコン１５の運転開始ボタン３７が押されてオンになる（ステップＳ４１）と、浴槽装置１は、図１２のフロー図に従って冷温運転を開始する。浴槽装置１の冷温運転が開始すると、電磁開閉弁２６が閉止され（ステップＳ４２）、同時に運転モードの確認が行われる。ステップＳ４３で手動設定モードが選択されている場合には、冷感刺激の温度Ｆ１及び継続時間Ｔ１、或いは温感刺激の温度Ｆ２及び継続時間Ｔ２を読み込む（ステップＳ４４）。読み込んだ各設定値は、目標温度Ｆ＝Ｆ１（或いは目標温度Ｆ＝Ｆ２）、目標時間Ｔ＝Ｔ１（或いは目標時間Ｔ＝Ｔ２）に設定される（ステップＳ４５）。なお、温度Ｆ１とＦ２、また継続時間Ｔ１とＴ２は、交互に目標温度及び目標時間に設定される。一方、ステップＳ４３、Ｓ４６でランダムモードが選択されている場合には、冷温刺激の温度Ｆｒを２０〜４２℃の範囲内で不規則に設定する（ステップＳ４７）とともに冷温刺激の継続時間Ｔｒを１０〜９０秒の間で不規則に設定する（ステップＳ４８）。また、設定した冷温刺激の温度Ｆｒ及び冷温刺激の継続時間Ｔｒを目標温度Ｆ＝Ｆｒ、目標時間Ｔ＝Ｔｒに設定する（ステップＳ４９）。以上、ステップＳ４１〜Ｓ４８により、冷温運転の目標温度Ｆ及び目標時間Ｔが設定される。目標温度Ｆ及び目標時間Ｔが設定されると、浴槽装置１は対象となる伝熱体２１ａ（或いは２１ｂ）を目標時間Ｔの間、目標温度Ｆを保持するように伝熱体の温度を制御する（ステップＳ５０）。目標温度Ｆで目標時間Ｔが経過し、運転終了の命令が入力されいていれば（ステップＳ５１でＹｅｓの場合）、冷温運転を終了する。また、運転終了の命令が入力されておらず、運転が継続される場合には（ステップＳ５１でＮｏの場合）、ステップＳ４６に戻り、運転終了まで繰り返す。
【００３６】
次に、ステップＳ５０の伝熱体２１ａ、２１ｂの制御動作を図１３のフロー図を用いて説明する。まず、対象となる伝熱体２１ａ或いは２１ｂの制御動作を開始すると、温度センサ２２により、対象となる伝熱体２１ａ或いは２１ｂの温度が検知される（ステップＳ５３）。温度センサ２２によって検知された温度が目標温度Ｆに等しければ（ステップＳ５４でＹｅｓの場合）、時間をカウントし目標時間Ｔが経過するまで目標温度Ｆに保持される（ステップＳ６２）。一方、温度センサ２２によって検知された温度が目標温度Ｆと異なる場合（ステップＳ５４でＮｏの場合）には、電磁開閉弁２６を開成（ステップＳ５５）し、排水管２５から排水できる状態にした後、給湯装置１２からヘッダ装置１３へ湯及び水の供給が開始される（ステップＳ５６）。同時にヘッダ装置１３が調節されて目標温度Ｆの湯水が対象となる伝熱体２１ａ又は２１ｂに供給され（ステップＳ５７）、対象となる伝熱体２１ａ又は２１ｂが加熱又は冷却される。また、温度センサ２２で対象となる伝熱体２１ａ又は２１ｂの温度を検出しており（ステップＳ５８）、検出温度が目標温度Ｆと等しくなる（ステップＳ５９）と、電磁開閉弁２６を閉止するとともに給湯装置１２から湯及び水の供給を停止する（ステップＳ６０、Ｓ６１）。目標温度Ｆの状態で目標時間Ｔが経過すれば（ステップＳ６２でＹｅｓの場合）、ステップＳ５０の伝熱体２１ａ或いは２１ｂの制御動作を終了し、図１２のステップＳ５１へもどり、運転を継続するか終了するかの判断をする。また、目標温度Ｆの状態で目標時間Ｔが経過するまでの間（ステップＳ６２でＮｏの場合）は、温度センサ２２で検出される温度が目標温度ＦからずれるとステップＳ５３〜Ｓ６２を繰り返して温度が目標温度Ｆになるように調節される。
【００３７】
以上説明したように、浴槽装置１は、浴槽１１内に湯水を噴出させず、入浴者に冷感刺激及び温感刺激を与えることができるので、冷温運転中も浴槽１１内に貯められた湯水の温度が変化しにくい。したがって、入浴者の自律神経が活動し身体機能を充分に調節し終えるまで冷（温）感刺激を継続して与えることができる。また、各伝熱体２１ａ及び２１ｂは、各個に冷（温）感刺激時の設定温度及び設定時間を個別に設定できるので、冷（温）感を感じやすい部位と感じにくい部位などで異なる条件に設定することができ、より効果的に自律神経を刺激して活性化させることができる。
【００３８】
また、入浴者の入浴中は、入浴者の首筋に設けた伝熱体を設けて、冷感刺激を与えるようにすれば、首筋を通って頭（脳）に流れる血液を冷やして、入浴中の逆上せなどを防止することもできる。
【図面の簡単な説明】
【００３９】
【図１】図１は、浴槽装置の概略図である。
【図２】図２は、浴槽装置に取り付けられている伝熱体の構造を説明する斜視図である。
【図３】図３は、図２とは別な伝熱体の構造を説明する斜視図である。
【図４】図４は、浴槽装置のヘッダ装置の概略図である。
【図５】図５は、浴槽装置のリモコンの設定画面を説明する図である。
【図６】図６は、図５とは異なる浴槽装置のリモコンの設定画面を説明する図である。
【図７】図７（ａ）は、手動設定モードでの伝熱体の温度のタイムチャートである。図７（ｂ）は、ランダムモードでの伝熱体の温度のタイムチャートである。
【図８】図８は、浴槽装置の制御装置の働きを説明するための機能ブロック図である。
【図９】図９は、浴槽装置の動作条件の設定方法を説明するフロー図である。
【図１０】図１０は、図９の続図である。
【図１１】図１１は、図１０の続図である。
【図１２】図１２は、浴槽装置の動作を説明するフロー図である。
【図１３】図１３は、図１２の続図である。
【符号の説明】
【００４０】
１１      浴槽
１２      給湯装置
１３      ヘッダ装置
１４      制御装置
１５      リモコン
２１ａ、２１ｂ      伝熱体
２２、３２      温度センサ
２３      湯水供給配管
２５      排水管
２６      電磁開閉弁
２７      給湯配管
２８      給水配管
２９      混合弁
３０      流量調整弁
３１      流量センサ
３５      表示部
３６      設定ボタン
３７      運転開始ボタン
３８ａ、３８ｂ      選択ボタン
３９      決定ボタン
４０      信号線
４１      伝熱体選択画面
４２      条件設定画面
【図１】
2007054106.tif 000003
【図２】
2007054106.tif 000004
【図３】
2007054106.tif 000005
【図４】
2007054106.tif 000006
【図５】
2007054106.tif 000007
【図６】
2007054106.tif 000008
【図７】
2007054106.tif 000009
【図８】
2007054106.tif 000010
【図９】
2007054106.tif 000011
【図１０】
2007054106.tif 000012
【図１１】
2007054106.tif 000013
【図１２】
2007054106.tif 000014
【図１３】
2007054106.tif 000015